(57)【要約】      （修正有）【課題】複数種の硬貨を分別し、紙幣とカードの収納部のポケットを設けた見やすく出し入れが容易な分別コインケースを提供する。【解決手段】四角形状をなす底板部とコインケース内部に、十字に仕切った仕切り板１２を縫着し、複数種の硬貨を四箇所に分別収納し、外蓋部の内側に紙幣が入るポケット１０と、底板部５の裏面側にカードが入るポケットを設ける。【選択図】図１
0003206786.tif 000002
【実用新案登録請求の範囲】
【請求項１】
四角形状をなす底板部（５）に外蓋部（１）と、該外蓋部に対向する位置に内蓋部（２）を設け、且つ、底板部（５）の他の二辺に側壁部（３、４）を設け、前記外蓋部（１）の高さは、前記内蓋部（２）の高さより高く、前記側壁部（３、４）の高さは前記内蓋部（２）の高さと略同じであり、前記外蓋部（１）と前記内蓋部（２）と前記両側壁部（３、４）により略箱形状を有する分別コインケース。
【請求項２】
略箱形状内に十字の仕切り板（１２）が備えられ、前記略箱形状の外蓋部（１）の内側及び前記内蓋部（２）の外側に、雄型又は雌型の留具（１３ａ、１３ｂ）を設け、前記雄型又は雌型の留具（１３ａ、１３ｂ）と係止したとき、前記側壁部（３、４）が谷折れ状態になるようにしたことを特徴とする請求項１に記載の分別コインケース。
【請求項３】
前記底板部（５）の内部に、十字の仕切り板（１２）の底板部（５）に接する部分を全部縫着し、十字の仕切り板の各端部上端部（６ｂ、７ｂ、８ｂ、９ｂ）を、指定位置（６ａ、７ａ、８ａ、９ａ）に、それぞれ縫着し十字に仕上げたことを特徴とする請求項１及び２に記載の分別コインケース。
【請求項４】
前記コインケースの材質を、革、布、軟質性合成樹脂の一種または、二種以上の組み合わせで構成したことを特徴とする請求項１〜３の何れか１項に記載の分別コインケース。
【請求項５】
前記外蓋部（１）の内側及び底板部（５）の裏面側に、ポケット（１０、１１）を設けたことを特徴とする請求項１〜４の何れか１項に記載の分別コインケース。
【請求項６】
前記ポケット（１１）の内部には、複数枚の収納仕切り板（１１ａ、１１ｂ・・・）を設けたことを特徴とする請求項１〜５の何れか１項に記載の分別コインケース。
【考案の詳細な説明】
【技術分野】
【０００１】  本考案は、四角形状をなす底板部に十字の仕切り板を縫着することで、複数種の硬貨の分別ができ、紙幣、カードも収納できるポケットを設けている分別コインケースに関するものである。
【背景技術】
【０００２】  従来コインケースは、複数種の硬貨が分別されてなく一箇所の収納部に設けられており、紙幣は小さく折りたたんで硬貨と一緒に収納していた。また、カードは別の財布に収納しなくてはならなかった。
【考案の概要】
【考案が解決しようとする課題】
【０００３】  従来のコインケースは、次のような欠点があった。
（イ）複数種の硬貨が一箇所の収納部に設けられ、硬貨の出し入れが容易でなかった。
（ロ）紙幣は、小さく折りたたんで硬貨と一緒に収納することで、安定しなく使い勝手が良くなかった。
（ハ）カードは、別の財布に入れなければならなかった。
本考案は、これらの問題点を解決するためになされたものである。
【問題を解決するための手段】
【０００４】  四角形状をなす底板部に外蓋部と、該外蓋部に対向する位置に内蓋部を設け、他の二辺に側壁部を設け、前記外壁部の高さは、前記内壁部の高さより高く、前記側壁部の高さは、前記内蓋部の高さと略同じであり、前記外蓋部と前記内蓋部と前記両側壁部により略箱形状を有する分別コインケースであって、略箱形状内に十字の仕切り板が備えられ、前記略箱形状の外蓋部の内側及び内蓋部の外側に雄型または雌型の留具が設けられ、前記雄型または雌型の留具と係止したとき、前記両側壁部が谷折れ状態になるようにしたことを特徴とする分別コインケース。
【０００５】  前記底板部の内部に、十字の仕切り板の底板部に接する部分を全部縫着し、十字の仕切り板の各端部上端部（６ｂ、７ｂ、８ｂ、９ｂ）を、略箱形状の指定位置（６ａ、７ａ、８ａ、９ａ）に、それぞれ縫着し十字に仕上げたことを特徴としている。
【０００６】  側壁部の外蓋部の近傍の谷折れ部、（１４、１５）と、対向する側壁部（１６、１７）に面ファスナーを縫着することで、谷折れ状態が強固になり中身の硬貨が落ちない。
【０００７】  該コインケース（Ａ）の材質は、革、布、軟質性合成樹脂の一種または、二種以上を組み合わせることで自由にアレンジすることができる。
【０００８】  底板部の裏面側に設けたポケットに、カードが複数枚収納でき、止めベルト（１８）に入口閉塞ボタンを設け、カードが落下するのを防止する。
【考案の効果】
【０００９】  四角形状の底板部に、十字の仕切り板を縫着することによって、四箇所の分別収納ができ、硬貨が混入することがなく、見やすく出し入れが容易になる。
本考案は紙幣とカードも一緒に収納することができるポケットがあり、材質は、革、布、軟質性合成樹脂で形成されており、一種又は、二種以上を組み合わせることで、自由にアレンジすることができる。
【図面の簡単な説明】
【００１０】
【図１】  本考案の分別コインケースの開閉状態を示す斜視図
【図２】  本考案の仕切り板の構成を示す分解斜視図
【図３】  本考案の底板部の裏面側に設けたポケットを表す底面図
【図４】  本考案の底板部の裏面側に設けたポケットの詳細図
【図５】  本考案の分別コインケースを閉じた状態を示す斜視図
【考案を実施するための形態】
【００１１】  本考案を実施する最適と思われる形態を図面に参照して説明する。図１は、開蓋状態を示した斜視図である。図１のコインケース（Ａ）は、四角形状の底板部（５）の一辺に外蓋部（１）、該外蓋部（１）に対向する一辺に内蓋部（２）、前記外蓋部（１）と前記内蓋部（２）の他の二辺に側壁部（３、４）あり、前記外蓋部（１）の高さは前記内蓋部（２）の高さより１．６〜１．８倍ほど高く、前記側壁部（３、４）の高さは、前記内蓋部（２）の高さと略同じであり、外壁部（１）と内蓋部（２）と側壁部（３、４）により略箱形状を有する分別コインケースであり、略箱形状内に十字の仕切り板（１２）が備えられ、外蓋部（１）の内側及び内蓋部（２）の外側に、雄型又は雌型の留具（１３ａ、１３ｂ）を係止したとき、両側壁部（３、４）が谷折れ状態になる。
【００１２】  上記仕切り板は、厚手の革又は／及び布で作り、底板部（５）の内部に、十字の仕切り板の底板部に接する部分を全部縫着し、十字の仕切り板の各端部上端部（６ｂ、７ｂ、８ｂ、９ｂ）を、略箱形状内の指定位置（６ａ、７ａ、８ａ、９ａ）にそれぞれしっかり縫着し仕上げる。
【００１３】  側壁部（３、４）の、外蓋部（１）の近傍の谷折れ部、（１４、１５）及び（１６、１７）に面ファスナーを設けることで、谷折れ状態がより強固になり、中身の硬貨をたくさん収納しても硬貨が落ちなくなる。
【００１４】  該コインケース（Ａ）の材質は、革、布、軟質合成樹脂で形成してあり、一種または、二種以上の組み合わせにより自由にアレンジができる。
【００１５】  外蓋部の内側に、紙幣のポケット（１０）があり、半分に折った紙幣を複数枚収納できる。
【００１６】  図３、４は底板部（５）の裏面側に設けたポケット（１１）を示す底面図と詳細図である。図３、４に示すように、底板部（５）の裏面側に、カードを複数枚収納できるポケット（１１）を設け、内部にカードを収納するための、収納仕切り板（１１ａ、１１ｂ・・・）を複数枚設け、止めベルト（１８）に設けた入口閉塞ボタン（１９ａ、１９ｂ）により、カードが落下するのを防止する。
【００１７】  略箱形状のコインケースなので、両側壁部に折れ目をしっかり付けることで仕上がりがきれいになる。
【符号の説明】
【００１８】      Ａ  分別コインケース
１  外蓋部
２  内蓋部
３  側壁部
４  側壁部
５  四角形状の底板部
１０  ポケット
１１  ポケット
１２  十字の仕切り板
１３ａ、１３ｂ  留具
１４  面ファスナー  雄型
１５  面ファスナー  雌型
１６  面ファスナー  雄型
１７  面ファスナー  雌型
１８  止めベルト
１９ａ、１９ｂ  入口閉塞ボタン
【図１】
0003206786.tif 000003
【図２】
0003206786.tif 000004
【図３】
0003206786.tif 000005
【図４】
0003206786.tif 000006
【図５】
0003206786.tif 000007